【手続補正書】
【提出日】平成25年12月25日(2013.12.25)
【手続補正１】
【補正対象書類名】特許請求の範囲
【補正対象項目名】全文
【補正方法】変更
【補正の内容】
【特許請求の範囲】
【請求項１】
制御信号を無線信号として送信する第１の通信装置と第１の通信装置から送信された無線信号を受信して制御信号を再生する第２の通信装置の内の少なくとも一方を備え、
制御信号用の無線信号は、第３の通信装置と第４の通信装置との間における伝送対象信号用の無線信号とは別に伝送される信号伝送装置。
【請求項２】
制御信号用の無線信号は周波数偏移変調方式で変調される請求項１に記載の信号伝送装置。
【請求項３】
制御信号用の無線信号は、伝送対象信号用の無線信号とは異なる搬送周波数で変調される
請求項１又は請求項２に記載の信号伝送装置。
【請求項４】
伝送対象信号用の無線信号及び制御信号用の無線信号の周波数は、ミリ波帯である
請求項１から請求項３の何れか一項に記載の信号伝送装置。
【請求項５】
制御信号は、伝送対象信号用の無線信号の送信状態を制御するために使用される
請求項１から請求項４の何れか一項に記載の信号伝送装置。
【請求項６】
制御信号は、伝送対象信号用の無線信号の送信電力の設定に使用される
請求項５に記載の信号伝送装置。
【請求項７】
第３の通信装置又は第４の通信装置にて使用される基準信号を無線信号として伝送対象信号用の無線信号とは別に送信する第５の通信装置と、第５の通信装置から送信された無線信号を受信して基準信号を再生して第３の通信装置又は第４の通信装置に供給する第６の通信装置の内の少なくとも一方を備える
請求項１から請求項６の何れか一項に記載の信号伝送装置。
【請求項８】
基準信号用の無線信号は周波数偏移変調方式で変調される請求項７に記載の信号伝送装置。
【請求項９】
基準信号用の無線信号は、伝送対象信号用の無線信号とは異なる搬送周波数で変調される
請求項７又は請求項８に記載の信号伝送装置。
【請求項１０】
伝送対象信号用の無線信号及び基準信号用の無線信号の周波数は、ミリ波帯である
請求項７から請求項９の何れか一項に記載の信号伝送装置。
【請求項１１】
制御信号と基準信号とに基づき制御信号と基準信号とを表す１つの合成信号を生成する信号合成部と、
無線信号を受信して再生された合成信号から制御信号と基準信号とを分離する信号分離部と、
を有し、
第３の通信装置又は第４の通信装置に、分離した制御信号と基準信号とを供給する
請求項７に記載の信号伝送装置。
【請求項１２】
第１の通信装置は、制御信号と基準信号とに基づき制御信号と基準信号とを表す１つの合成信号を生成する信号合成部を有し、生成した合成信号を無線信号として送信し、
第２の通信装置は、無線信号を受信して再生された合成信号から制御信号と基準信号とを分離する信号分離部を有し、第３の通信装置又は第４の通信装置に、分離した制御信号と基準信号とを供給する
請求項７に記載の信号伝送装置。
【請求項１３】
合成信号用の無線信号は周波数偏移変調方式で変調される請求項１１又は請求項１２に記載の信号伝送装置。
【請求項１４】
信号分離部は、
周波数偏移変調方式で変調された無線信号を受信して再生された合成信号と判定用の基準値とを比較する比較部と、
比較部の比較結果に基づいて制御信号と基準信号とを生成する論理回路部と、
を有する請求項１３に記載の信号伝送装置。
【請求項１５】
合成信号用の無線信号は、伝送対象信号用の無線信号とは異なる搬送周波数で変調される
請求項１１から請求項１３の何れか一項に記載の信号伝送装置。
【請求項１６】
伝送対象信号用の無線信号及び合成信号用の無線信号の周波数は、ミリ波帯である
請求項１１から請求項１４の何れか一項に記載の信号伝送装置。
【請求項１７】
基準信号は、伝送対象信号に関しての送信側の信号処理の動作と受信側の信号処理の動作の同期をとるために使用される
請求項７から請求項１５の何れか一項に記載の信号伝送装置。
【請求項１８】
第３の通信装置と第４の通信装置の内の少なくとも一方を更に備える
請求項１から請求項１６の何れか一項に記載の信号伝送装置。
【請求項１９】
制御信号を無線信号として送信する第１の通信装置と、第１の通信装置から送信された無線信号を受信して制御信号を再生する第２の通信装置と、伝送対象信号を送信する送信装置と、送信装置から送信された無線信号を受信して伝送対象信号を再生する受信装置と、を１つの筐体内に備え、又は、
伝送対象信号を送信する送信装置と送信装置から送信された無線信号を受信して伝送対象信号を再生する受信装置の内の少なくとも一方と、送信装置又は受信装置の送受信の相手方となる方を制御するための制御信号を無線信号として送信する第１の通信装置とが１つの筐体内に配置されている第１の電子機器、並びに、第１の電子機器における送信装置の通信の相手方となる受信装置又は第１の電子機器における受信装置の通信の相手方となる送信装置と、第１の通信装置から送信された無線信号を受信して制御信号を再生する第２の通信装置とが１つの筐体内に配置されている第２の電子機器を備え、第１の電子機器と第２の電子機器との間で伝送対象信号を無線信号で伝送するようになっており、
制御信号用の無線信号は、送信装置と受信装置との間における伝送対象信号用の無線信号とは別に伝送される電子機器。
【請求項２０】
伝送対象信号を無線信号として送信装置から送信し、
送信装置から送信された無線信号を受信装置で受信して伝送対象信号を再生し、
送信装置と受信装置の内の少なくとも一方を制御するための制御信号を無線信号として、送信装置と受信装置との間における伝送対象信号用の無線信号とは別に第１の通信装置から送信し、
第１の通信装置から送信された無線信号を第２の通信装置で受信して制御信号を再生し、送信装置又は受信装置に供給する信号伝送方法。
【手続補正２】
【補正対象書類名】明細書
【補正対象項目名】０００８
【補正方法】変更
【補正の内容】
【０００８】
第２の態様に係る電子機器は、いわゆる機器内又は機器間の信号伝送に関するものである。尚、機器内の信号伝送に関しては、制御信号を無線信号として送信する第１の通信装置と、第１の通信装置から送信された無線信号を受信して制御信号を再生する第２の通信装置と、伝送対象信号を送信する送信装置と、送信装置から送信された無線信号を受信して伝送対象信号を再生する受信装置と、を１つの筐体内に備える。機器間の信号伝送に関しては、伝送対象信号を送信する送信装置と送信装置から送信された無線信号を受信して伝送対象信号を再生する受信装置の内の少なくとも一方と、送信装置又は受信装置の送受信の相手方となる方を制御するための制御信号を無線信号として送信する第１の通信装置とが１つの筐体内に配置されている第１の電子機器、並びに、第１の電子機器における送信装置の通信の相手方となる受信装置又は第１の電子機器における受信装置の通信の相手方となる送信装置と、第１の通信装置から送信された無線信号を受信して制御信号を再生する第２の通信装置とが１つの筐体内に配置されている第２の電子機器を備え、第１の電子機器と第２の電子機器との間で伝送対象信号を無線信号で伝送する。
【手続補正３】
【補正対象書類名】明細書
【補正対象項目名】００５６
【補正方法】変更
【補正の内容】
【００５６】
各部がひとつの筐体内に収容された状態の装置構成で１つの電子機器とする場合であれば、制御信号を無線信号として送信する第１の通信装置と、第１の通信装置から送信された無線信号を受信して制御信号を再生する第２の通信装置と、伝送対象信号を送信する送信装置と、送信装置から送信された無線信号を受信して伝送対象信号を再生する受信装置と、を１つの筐体内に備える構成にする。又は、複数の装置（電子機器）の組合せで１つの電子機器の全体を構成する場合であれば、伝送対象信号を送信する送信装置と送信装置から送信された無線信号を受信して伝送対象信号を再生する受信装置の内の少なくとも一方と、送信装置又は受信装置の送受信の相手方となる方を制御するための制御信号を無線信号として送信する第１の通信装置とを、１つの筐体内に配して第１の電子機器を個性する。又、第１の電子機器における送信装置の通信の相手方となる受信装置又は第１の電子機器における受信装置の通信の相手方となる送信装置と、第１の通信装置から送信された無線信号を受信して制御信号を再生する第２の通信装置とを、１つの筐体内に配置して第２の電子機器を構成する。そして、第１の電子機器と第２の電子機器との間で伝送対象信号を無線信号で伝送する。電子機器が何れの構成であっても、制御信号用の送信側（第１）の通信装置は、伝送対象信号を無線信号として送信する第３の通信装置と第３の通信装置から送信された無線信号を受信して伝送対象信号を再生する第４の通信装置の内の少なくとも一方に制御信号供給し、制御信号用の受信側（第２）の通信装置は、再生した制御信号を第３の通信装置又は第４の通信装置に供給するする。そして、この場合において、制御信号用の無線信号を、送信装置と受信装置との間における伝送対象信号用の無線信号とは別に伝送する。
【手続補正４】
【補正対象書類名】明細書
【補正対象項目名】００７６
【補正方法】変更
【補正の内容】
【００７６】
第１例の通信チップ８００は、通常の伝送対象信号の無線伝送用の通信チップの機能の他に、後述の制御信号及び基準信号の無線伝送用（特に受信用）の受信チップ８０７（ＲＸ：受信器）の機能も備える。送信チップ８０６は、伝送対象信号を無線信号として送信する通信部（送信チップ８０１）又は伝送対象信号を再生する通信部（受信チップ８０２）の少なくとも一方を制御するための制御信号及びそれらにて使用される基準信号を無線信号として送信する通信部の一例である。受信チップ８０７は、制御信号及び基準信号を無線信号として送信する通信部（送信チップ８０６）から送信された無線信号を受信して制御信号及び基準信号を再生し、伝送対象信号を無線信号として送信する通信部（送信チップ８０１）又は伝送対象信号を再生する通信部（受信チップ８０２）に供給する通信部の一例である。
【手続補正５】
【補正対象書類名】明細書
【補正対象項目名】００８４
【補正方法】変更
【補正の内容】
【００８４】
第２例の制御・基準信号伝送装置３Ｂは、通信装置２が使用する制御信号及び基準信号を無線で送信する制御・基準信号送信装置５と、通信装置２ごとに設けられた制御・基準信号受信装置７を備えている。前述の第１例との相違点として、制御・基準信号送信装置５を通信装置２の何れか１つに組み込んで設ける点に特徴を有する。図の例は、５台の通信装置２_1〜通信装置２_5のうちの１台の通信装置２_1に制御・基準信号送信装置５が組み込まれている。制御・基準信号受信装置７が組み込まれる通信装置２は、他の通信装置２への無線伝送の対象となる制御信号や基準信号を使用すればよく、制御・基準信号送信装置５を設ける必要はない。第２例の制御・基準信号送信装置５及び制御・基準信号受信装置７のそれぞれは第１例で説明したものと同じである。尚、制御・基準信号受信装置５が組み込まれる通信装置２_1の通信チップ８００は、通常の伝送対象信号の無線伝送用の通信チップの機能の他に、後述の制御信号及び基準信号の無線伝送用（特に送信用）の送信チップ８０６（ＴＸ：送信器）の機能も備える。
【手続補正６】
【補正対象書類名】明細書
【補正対象項目名】００８７
【補正方法】変更
【補正の内容】
【００８７】
図３（Ａ）に示す第１の組合せ構成は、第１の通信装置２ａ_1と第２の通信装置２ａ_2を備える。伝送対象信号DATAを無線信号Ｓｍとして送信する送信チップ８０１と制御信号CTRLを無線信号Ｓｃとして送信する送信チップ８０６とＬＳＩ機能部７０２が第１の通信装置２ａ_1に搭載されている。伝送対象信号DATAを無線信号Ｓｍとして受信する受信チップ８０２と制御信号CTRLを無線信号Ｓｃとして受信する受信チップ８０２とＬＳＩ機能部７０７が第２の通信装置２ａ_2に搭載されている。ＬＳＩ機能部７０２及びＬＳＩ機能部７０７は、通信装置２の主要なアプリケーション制御を司るものである。例えば、ＬＳＩ機能部７０２は、相手方に送信したい各種の信号（画像データや音声データ）を処理する回路やその外部又は内部の各機能部からの要求に対して、例えば送信レベルの制御やデータのリードライト制御等の論理的制御を行なう制御回路も含む。ＬＳＩ機能部７０７は、ＬＳＩ機能部７０２と対をなして逆の処理をするもので、この例では相手方から受信した種々の信号（画像データや音声データ）を処理する回路や、受信ゲインの制御やその外部又は内部の各機能部からの要求に対して、例えばデータのリードライト制御等の論理的制御を行なう制御回路も含む。受信チップ８０７は、送信チップ８０６から送信された無線信号Ｓｃを受信し制御信号CTRLを再生して受信チップ８０２やＬＳＩ機能部７０７に供給する。好ましくは、送信チップ８０１と送信チップ８０６とＬＳＩ機能部７０２が同一の第１の回路基板に搭載され、受信チップ８０２と受信チップ８０７とＬＳＩ機能部７０７が同一の第２の回路基板に搭載される。